(57)【要約】【課題】使い勝手の低下を抑止しつつ、様々な機能を提供する。【解決手段】無線通信装置は、表示部と、操作検出部と、タブレット通信部と、自装置が本体装置に保持されていない状態から保持された状態に変化したことと、自装置が本体装置に保持された状態から保持されていない状態に変化したこととのいずれかを示す保持状態変化情報を取得するタブレット保持状態変化情報取得部と、タブレット保持状態変化情報取得部が取得した保持状態変化情報に基づいて、自装置に所定の動作を行わせるタブレット制御部と、タブレット装置を保持する保持部と、本体通信部と、本体制御部と、受話器と、無線通信モジュールと、保持部にタブレット装置が保持されていない状態から保持された状態に変化したことと、自装置が前記本体装置に保持された状態から保持されていない状態に変化したこととのいずれかを検出する保持状態変化検出部とを備える。【選択図】図１
2016178511.tif 000002
【特許請求の範囲】
【請求項１】
本体装置と、前記本体装置と通信するタブレット装置とを備え、
タブレット装置は、
画像を表示する表示部と、
前記表示部に表示される操作用画像に対する操作を検出する操作検出部と、
無線通信回線を介した音声通話に用いられる音声通話情報と、前記無線通信回線を介したデータ通信に用いられる通信情報とを、前記本体装置との間において送受信するタブレット通信部と、
前記本体装置に自装置が保持されていない状態から保持された状態に変化したことと、前記本体装置に自装置が保持された状態から保持されていない状態に変化したこととのいずれかを示す保持状態変化情報を取得するタブレット保持状態変化情報取得部と、
自装置の各部を制御し、前記タブレット保持状態変化情報取得部が取得した保持状態変化情報に基づいて、自装置に所定の動作を行わせるタブレット制御部と、
を備え、
前記本体装置は、
前記タブレット装置を保持する保持部と、
前記音声通話情報及び前記通信情報の少なくとも一方の情報を、前記タブレット通信部との間において送受信する本体通信部と、
自装置の各部を制御する本体制御部と、
取得した音を示す情報を前記本体制御部に供給するとともに、前記本体制御部から供給される情報に基づく音を出力する受話器と、
を備え、
無線基地局との間において前記無線通信回線を介した前記音声通話及び前記データ通信を行う無線通信モジュールと、
前記保持部に前記タブレット装置が保持されていない状態から保持された状態に変化したことと、前記保持部に前記タブレット装置が保持された状態から保持されていない状態に変化したこととのいずれかを検出する保持状態変化検出部と、
を備える無線通信装置。
【請求項２】
前記タブレット装置は、自装置の動作状態を検出するタブレット動作状態検出部を備え、
前記タブレット制御部は、前記タブレット動作状態検出部が検出した自装置の動作状態と、前記タブレット保持状態変化情報取得部が取得した保持状態変化情報とに基づいて、自装置に所定の動作を行わせる、
請求項１に記載の無線通信装置。
【請求項３】
前記タブレット制御部は、前記表示部に表示させる画像を前記保持状態変化情報に応じて変更する、
請求項１又は２に記載の無線通信装置。
【請求項４】
前記タブレット制御部は、自装置を利用する前記音声通話の通話中に前記保持状態変化情報を取得した場合、当該保持状態変化情報に応じて前記音声通話の開始又は終話を制御する、
請求項１から３のうちいずれか一項に記載の無線通信装置。
【請求項５】
前記タブレット制御部は、自装置を利用する前記音声通話の着信中に、自装置が前記本体装置に保持された状態から保持されていない状態に変化したことを示す前記保持状態変化情報を取得した場合、前記表示部に表示させる画像を、前記音声通話時に実行可能な機能の前記操作用画像を含む画像に変更する、
請求項１から４のうちいずれか一項に記載の無線通信装置。
【請求項６】
前記タブレット装置は、前記音声通話又は前記データ通信の着信音を出力するタブレット音出力部を備え、
前記タブレット制御部は、前記タブレット音出力部から出力する着信音を前記保持状態変化情報に応じて変更する、
請求項１から５のうちいずれか一項に記載の無線通信装置。
【請求項７】
前記タブレット制御部は、前記タブレット音出力部から出力する着信音の鳴動状態をオンとオフのうちのいずれかに前記保持状態変化情報に応じて切り換える、
請求項６に記載の無線通信装置。
【請求項８】
前記タブレット制御部は、前記タブレット音出力部から出力する着信音の種類を前記保持状態変化情報に応じて変更する、
請求項６又は７に記載の無線通信装置。
【請求項９】
前記本体装置は、前記保持状態変化情報を取得する本体保持状態変化情報取得部を備え、
前記本体制御部は、前記本体保持状態変化情報取得部が取得した前記保持状態変化情報に基づいて、自装置の動作を変更する、
請求項１から８のうちいずれか一項に記載の無線通信装置。
【請求項１０】
前記本体装置は、自装置の動作状態を検出する本体動作状態検出部を備え、
前記本体制御部は、前記本体動作状態検出部が検出した自装置の動作状態と、前記本体保持状態変化情報取得部が取得した前記保持状態変化情報とに基づいて、自装置に所定の動作を行わせる、
請求項９からに記載の無線通信装置。
【請求項１１】
前記本体装置は、画像を表示する本体表示部を備え、
前記本体制御部は、前記本体表示部に表示させる画像を前記保持状態変化情報に応じて変更する、
請求項７から１０のうちいずれか一項に記載の無線通信装置。
【請求項１２】
前記本体装置は、前記音声通話又は前記データ通信の着信音を出力する本体音出力部を備え、
前記本体制御部は、前記本体音出力部から出力する着信音を前記保持状態変化情報に応じて変更する、
請求項７から１１のうちいずれか一項に記載の無線通信装置。
【請求項１３】
前記本体制御部は、前記本体音出力部から出力する着信音の鳴動状態をオンとオフのうちのいずれかに前記保持状態変化情報に応じて切り換える、
請求項１２に記載の無線通信装置。
【請求項１４】
前記本体制御部は、前記本体音出力部から出力する着信音の種類を前記保持状態変化情報に応じて変更する、
請求項１２又は１３に記載の無線通信装置。
【発明の詳細な説明】
【技術分野】
【０００１】
本発明の実施形態は、無線通信装置に関する。
【背景技術】
【０００２】
従来、本体から取り外し可能な操作表示部を備える据置型電話機が知られている（例えば、特許文献１を参照）。
【先行技術文献】
【特許文献】
【０００３】
【特許文献１】特開平１０−３２２４４２号公報
【発明の概要】
【発明が解決しようとする課題】
【０００４】
この従来の据置型電話機においては、この操作表示部が液晶画面付きのタッチパネルを備えている場合がある。この場合、従来の据置型電話機においては、通話などの操作を、このタッチパネルによって行うことがある。しかしながら、この従来のタッチパネル操作式の据置型電話機では、タッチパネルの操作に慣れていないと、使い勝手が悪いという問題があった。一方で、電話機がタッチパネルを備えていれば、通話開始時に電話帳を表示する機能を提供したり、ネットワークを介した情報検索機能を提供することができる。
【０００５】
本発明は、使い勝手の低下を抑止しつつ、様々な機能を提供することができる無線通信装置を提供することを目的とする。
【課題を解決するための手段】
【０００６】
本発明の一実施形態は、本体装置と、前記本体装置と通信するタブレット装置とを備え、タブレット装置は、画像を表示する表示部と、前記表示部に表示される操作用画像に対する操作を検出する操作検出部と、無線通信回線を介した音声通話に用いられる音声通話情報と、前記無線通信回線を介したデータ通信に用いられる通信情報とを、前記本体装置との間において送受信するタブレット通信部と、前記本体装置に自装置が保持されていない状態から保持された状態に変化したことと、前記本体装置に自装置が保持された状態から保持されていない状態に変化したこととのいずれかを示す保持状態変化情報を取得するタブレット保持状態変化情報取得部と、自装置の各部を制御し、前記タブレット保持状態変化情報取得部が取得した保持状態変化情報に基づいて、自装置に所定の動作を行わせるタブレット制御部と、を備え、前記本体装置は、前記タブレット装置を保持する保持部と、前記音声通話情報及び前記通信情報の少なくとも一方の情報を、前記タブレット通信部との間において送受信する本体通信部と、自装置の各部を制御する本体制御部と、取得した音を示す情報を前記本体制御部に供給するとともに、前記本体制御部から供給される情報に基づく音を出力する受話器と、を備え、無線基地局との間において前記無線通信回線を介した前記音声通話及び前記データ通信を行う無線通信モジュールと、前記保持部に前記タブレット装置が保持されていない状態から保持された状態に変化したことと、前記保持部に前記タブレット装置が保持された状態から保持されていない状態に変化したこととのいずれかを検出する保持状態変化検出部と、を備える無線通信装置である。
【０００７】
また、本発明の一実施形態の無線通信装置において、前記タブレット装置は、自装置の動作状態を検出するタブレット動作状態検出部を備え、前記タブレット制御部は、前記タブレット動作状態検出部が検出した自装置の動作状態と、前記タブレット保持状態変化情報取得部が取得した保持状態変化情報とに基づいて、自装置に所定の動作を行わせる。
【０００８】
また、本発明の一実施形態の無線通信装置において、前記タブレット制御部は、前記表示部に表示させる画像を前記保持状態変化情報に応じて変更する。
【０００９】
また、本発明の一実施形態の無線通信装置において、前記タブレット制御部は、自装置を利用する前記音声通話の通話中に前記保持状態変化情報を取得した場合、当該保持状態変化情報に応じて前記音声通話の開始又は終話を制御する。
【００１０】
また、本発明の一実施形態の無線通信装置において、前記タブレット制御部は、自装置を利用する前記音声通話の着信中に、自装置が前記本体装置に保持された状態から保持されていない状態に変化したことを示す前記保持状態変化情報を取得した場合、前記表示部に表示させる画像を、前記音声通話時に実行可能な機能の前記操作用画像を含む画像に変更する。
【００１１】
また、本発明の一実施形態の無線通信装置において、前記タブレット装置は、前記音声通話又は前記データ通信の着信音を出力するタブレット音出力部を備え、前記タブレット制御部は、前記タブレット音出力部から出力する着信音を前記保持状態変化情報に応じて変更する。
【００１２】
また、本発明の一実施形態の無線通信装置において、前記タブレット制御部は、前記タブレット音出力部から出力する着信音の鳴動状態をオンとオフのうちのいずれかに前記保持状態変化情報に応じて切り換える。
【００１３】
また、本発明の一実施形態の無線通信装置において、前記タブレット制御部は、前記タブレット音出力部から出力する着信音の種類を前記保持状態変化情報に応じて変更する。
【００１４】
また、本発明の一実施形態の無線通信装置において、前記本体装置は、前記保持状態変化情報を取得する本体保持状態変化情報取得部を備え、前記本体制御部は、前記本体保持状態変化情報取得部が取得した前記保持状態変化情報に基づいて、自装置の動作を変更する。
【００１５】
また、本発明の一実施形態の無線通信装置において、前記本体装置は、自装置の動作状態を検出する本体動作状態検出部を備え、前記本体制御部は、前記本体動作状態検出部が検出した自装置の動作状態と、前記本体保持状態変化情報取得部が取得した前記保持状態変化情報とに基づいて、自装置に所定の動作を行わせる。
【００１６】
また、本発明の一実施形態の無線通信装置において、前記本体装置は、画像を表示する本体表示部を備え、前記本体制御部は、前記本体表示部に表示させる画像を前記保持状態変化情報に応じて変更する。
【００１７】
また、本発明の一実施形態の無線通信装置において、前記本体装置は、前記音声通話又は前記データ通信の着信音を出力する本体音出力部を備え、
前記本体制御部は、前記本体音出力部から出力する着信音を前記保持状態変化情報に応じて変更する。
【００１８】
また、本発明の一実施形態の無線通信装置において、前記本体制御部は、前記本体音出力部から出力する着信音の鳴動状態をオンとオフのうちのいずれかに前記保持状態変化情報に応じて切り換える。
【００１９】
また、本発明の一実施形態の無線通信装置において、前記本体制御部は、前記本体音出力部から出力する着信音の種類を前記保持状態変化情報に応じて変更する。
【発明の効果】
【００２０】
本発明によれば、使い勝手の低下を抑止しつつ、様々な機能を提供することができる無線通信装置を提供することができる。
【図面の簡単な説明】
【００２１】
【図１】本実施形態の無線通信装置１の外観構成の一例を示す模式図である。
【図２】本実施形態の無線通信装置１の機能構成の一例を示すブロック図である。
【図３】本実施形態の無線通信装置１による処理の流れの一例を示す流れ図である。
【図４】本実施形態の無線通信装置１による保持状態変化時処理の流れの一例を示す流れ図である。
【図５】本実施形態の表示部２０１に表示される電話メニュー画像ＰＴｍ及びホーム画像ＰＨｍの具体例を示す模式図である。
【発明を実施するための形態】
【００２２】
［実施形態］
以下、図を参照して本実施形態の無線通信装置１について説明する。
図１は、本実施形態の無線通信装置１の外観構成の一例を示す模式図である。本実施形態の無線通信装置１は、他の通信装置２との間における音声通話機能及びデータ通信機能を提供する。通信装置２とは、例えば、固定電話、携帯電話、スマートフォンである。無線通信装置１は、本体装置１０と、タブレット装置２０とを備えている。本体装置１０とタブレット装置２０のいずれか一方又は両方には、無線通信モジュール２０５が備えられている。無線通信装置１は、無線通信モジュール２０５によって、無線基地局３及びネットワークＮを介して通信装置２と接続される。
【００２３】
無線通信モジュール２０５は、電話用の音声情報と、データ通信用の通信情報とを同一の回線で送受信可能な高速データ通信回線に接続が可能である。高速データ通信回線とは、例えば、ＬＴＥ（Long Term Evolution）通信網である。高速データ通信回線は、画像や文字等のデジタル情報の送受信に加えて、音声通話を可能にするサービス（ＶｏＬＴＥ；Voice over LTE）を提供する。すなわち、無線通信モジュール２０５は、無線基地局３との間において無線通信回線を介した音声通話及びデータ通信を行う。
【００２４】
無線通信モジュール２０５には、無線通信モジュール２０５毎に固有の識別情報が付与されている。無線基地局３は、この識別情報と電話番号とを紐付けする。通信装置２は、この電話番号によって音声通話又はデータ通信の相手方を特定する。例えば、無線通信装置１を相手方として通信を行う場合、通信装置２は、無線通信モジュール２０５の識別情報に紐付けされた電話番号を使用して通信を開始する。なお、以下の説明においては、無線通信モジュール２０５の識別情報に紐付けされた電話番号を、単に、無線通信モジュール２０５の電話番号とも、無線通信装置１の電話番号とも記載する。
【００２５】
ここで、無線通信モジュール２０５の識別情報には、固定電話の電話番号が紐付けされている。具体的には、無線通信モジュール２０５の識別情報には、無線通信装置１が設置されている地域の市外局番から始まる電話番号が紐付けされている。例えば、無線通信装置１が東京２３区内の地域に設置されている場合には、無線通信モジュール２０５の識別情報には、“東京０３”から始まる電話番号が紐付けされている。したがって、通信装置２は、固定電話となんら変わらない手順によって、無線通信装置１に電話をかけることができる。つまり、無線通信装置１は、固定電話の使い勝手を踏襲しつつ、高速データ通信回線を使用した機能を提供することができる。
【００２６】
なお、無線通信装置１は、更に子機３０を備えていてもよい。子機３０は、ＤＥＣＴ（Digital Enhanced Cordless Telecommunications）等の規格に基づく無線通信によって本体装置１０と接続される。また、子機３０は、二次電池を備えており、子機充電スタンド３１に装着された状態において、充電される。本実施形態において、子機３０の詳細な説明は省略する。
【００２７】
［本体装置の構成］
次に、本体装置１０及びタブレット装置２０の構成の詳細について、図１及び図２を参照して説明する。まず、本体装置１０の構成の詳細について説明する。
図２は、本実施形態の無線通信装置１の機能構成の一例を示すブロック図である。本体装置１０は、保持部１０１と、本体制御部１０３と、本体通信部１０４と、本体記憶部１０６と、本体音出力部１０８と、保持状態変化検出部１０９と、受話器１１０と、受話器保持検出部１１１と、受話器保持部１１２とを備えている。この本体装置１０は、タブレット装置２０のクレードルとしての機能を有している。ここで、クレードルとは、装着された装置（ここでは、タブレット装置２０）を保持する保持機能、装着された装置を充電する充電機能、装着された装置との間において情報を授受する通信機能などを備える装置である。つまり、無線通信装置１の本体装置１０とタブレット装置２０とは、脱着が可能である。
【００２８】
保持部１０１は、タブレット装置２０が装着された場合に、装着されたタブレット装置２０を保持する。具体的には、保持部１０１は、タブレット装置２０の外形寸法に応じた保持部材（不図示）を備えている。この保持部材は、タブレット装置２０の筐体の一部、又は全部を保持する。また、保持部１０１は、タブレット装置２０を保持した状態において、タブレット装置２０が備える表示画面の一部、又は全部が視認可能な形状に設計されている。これにより、保持部１０１は、タブレット装置２０を保持した状態においても、無線通信装置１のユーザに対して、タブレット装置２０が表示する画像を提供することができる。
【００２９】
保持状態変化検出部１０９は、保持部１０１によるタブレット装置２０の保持状態の変化を検出する。保持部１０１によるタブレット装置２０の保持状態の変化とは、この一例において、保持部１０１にタブレット装置２０が保持（装着）されていない状態から保持された状態に変化したこと、及び保持部１０１にタブレット装置２０が保持された状態から保持されていない状態に変化したことである。具体的には、保持状態変化検出部１０９は、タブレット装置２０が保持部１０１に装着されているか否かを検出するコンタクトスイッチ（不図示）を備えている。保持状態変化検出部１０９は、コンタクトスイッチが出力するＯＮ又はＯＦＦの信号を検出することにより、保持部１０１によるタブレット装置２０の保持状態の変化を検出する。保持状態変化検出部１０９は、検出した結果を保持状態変化情報として本体制御部１０３に出力する。
【００３０】
なお、ここでは、保持状態変化検出部１０９が機械式のスイッチによって保持部１０１によるタブレット装置２０の保持状態の変化を検出する場合を一例にして説明したが、これに限られない。例えば、本体装置１０と、タブレット装置２０とが電気接点（不図示）を介して通信する場合がある。この場合には、保持状態変化検出部１０９は、この電気接点を介して、本体装置１０と、タブレット装置２０とが接続されているか否かに基づいて、保持部１０１によるタブレット装置２０の保持状態の変化を検出してもよい。
【００３１】
また、ここでは、本体装置１０が保持状態変化検出部１０９を備えている場合を一例にして説明したが、これに限られない。タブレット装置２０が、保持状態変化検出部（不図示）を備えている構成であってもよい。
【００３２】
また、本体制御部１０３は、保持部１０１にタブレット装置２０が装着されたことが検出されると、本体装置１０とタブレット装置２０との間の通信のペアリングを行う。具体的には、本体制御部１０３は、保持部１０１にタブレット装置２０が保持されていない状態から保持された状態に変化したことを保持状態変化検出部１０９が検出すると、タブレット装置２０に本体装置１０の識別情報を送信する。これにより、本体装置１０と、タブレット装置２０とがペアリングされる。
なお、ここでは、本体装置１０からタブレット装置２０に対して識別情報を送信する場合を一例にして説明したが、タブレット装置２０から本体装置１０に対して識別情報を送信してもよい。
また、本体制御部１０３は、保持部１０１にタブレット装置２０が保持された状態から保持されていない状態に変化したことが検出された場合に、本体装置１０とタブレット装置２０との間の通信のペアリングを行ってもよい。
【００３３】
本体制御部１０３は、ＣＰＵ（Central Processing Unit）を備えており、本体装置１０が備える各部を制御する。
本体記憶部１０６には、本体制御部１０３が使用する各種の情報が記憶される。
【００３４】
受話器１１０は、マイクとスピーカとを備えており、マイクによって取得した音声情報を本体制御部１０３に供給するとともに、本体制御部１０３から供給される情報に基づく音をスピーカから出力する。この受話器１１０は、無線通信モジュール２０５を介した音声通話に用いられるほか、音声認識によって無線通信装置１を操作する場合には、音声認識用の音を取得するマイクとしても用いられる。
【００３５】
この受話器１１０は、いわゆる固定電話の受話器と同様の外形を備える。具体的には、受話器１１０は、ユーザによって把持される把持部と、両端部とを備えている（いずれも不図示）。受話器１１０は、この両端部のうち、一方の端部にマイクを備え、他方の端部にスピーカを備える。また、この受話器１１０の把持部は、マイクをユーザの口元に近づけた場合に、スピーカがこのユーザの耳元に近づくような寸法により設計されている。したがって、本実施形態の無線通信装置１によれば、固定電話となんら変わらない操作によって、電話をかけることができる。つまり、無線通信装置１は、固定電話の使い勝手を踏襲しつつ、高速データ通信回線を使用した機能を提供することができる。
【００３６】
受話器保持部１１２は、受話器１１０を保持する。具体例を説明すると、受話器保持部１１２は、受話器１１０の外形寸法に応じた形状の窪みを、本体装置１０の一部に備えている。受話器保持部１１２は、この窪みに載置された受話器１１０が重力によって本体装置１０から脱落しないように、受話器１１０を保持する。
【００３７】
受話器保持検出部１１１は、受話器１１０が受話器保持部１１２に保持されているか否かを検出する。具体的には、受話器保持検出部１１１は、受話器検出フック（不図示）を備えている。この受話器検出フックは、受話器１１０が受話器保持部１１２に載置された場合に受話器１１０の筐体が接する位置に備えられている。受話器保持検出部１１１は、受話器検出フックが出力するＯＮ又はＯＦＦの信号を検出することにより、受話器１１０が受話器保持部１１２に保持されているか否かを検出する。受話器保持検出部１１１は、検出した信号を本体制御部１０３に出力する。
【００３８】
本体音出力部１０８は、スピーカを備えており、本体制御部１０３の制御に基づいて、音を出力する。この本体音出力部１０８が出力する音には、電話や電子メールの着信音が含まれる。
【００３９】
本体通信部１０４は、無線通信又は有線通信によって、タブレット装置２０と通信する。この一例では、タブレット装置２０が本体装置１０との無線通信機能を備えている場合について説明する。この場合、本体通信部１０４は、無線通信によってタブレット装置２０と通信する。この無線通信には、種々のプロトコルが適用可能である。
【００４０】
［タブレット装置の構成］
次に、タブレット装置２０の構成の詳細について説明する。タブレット装置２０は、上述した無線通信モジュール２０５に加え、表示部２０１と、操作検出部２０２と、タブレット制御部２０３と、タブレット通信部２０４と、タブレット記憶部２０６とを備えている。
【００４１】
タブレット制御部２０３は、ＣＰＵを備えており、タブレット装置２０が備える各部を制御する。
タブレット記憶部２０６には、タブレット制御部２０３が使用する各種の情報が記憶される。
【００４２】
表示部２０１は、液晶ディスプレイを備えており、文字や写真などの画像を表示する。以下では、一例として、表示部２０１がバックライトを備えている場合について説明する。この場合、表示部２０１は、バックライトによって液晶面が照明される。液晶が透過型の場合、バックライトは、液晶の裏面から照明してもよい。また、液晶が反射型の場合、バックライトは、液晶の端面方向から照明してもよい。なお、表示部２０１は、反射型の液晶ディスプレイを備え、バックライトを備えていない構成であってもよい。この表示部２０１が表示する画像には、着信を待ち受けている場合に表示される電話メニュー画像ＰＴｍ、電話を発信する際に表示される電話帳画像ＰＴｄ、データ通信の操作メニューを示すホーム画像ＰＨｍ、音声通話中であることを示す通話中画像ＰＣｌが含まれる。この各種画像のうち、ホーム画像ＰＨｍの一例を図１に示す。ホーム画像ＰＨｍには、電話の発信、ＳＮＳ（Social Networking Service）用アプリケーションの起動、及びインターネット接続アプリケーションの起動の操作を受け付ける操作用画像が含まれる。以下の説明において、これらの操作用画像を、アイコン画像とも記載し、又は単にアイコンとも記載する。すなわち、ホーム画像ＰＨｍには、電話アイコンＰ１と、ＳＮＳアイコンＰ２と、インターネットアイコンＰ３とが含まれる。また、ホーム画像ＰＨｍには、ニュースアイコンＰ４と、地図アイコンＰ５と、ショッピングアイコンＰ６とが含まれる。
【００４３】
操作検出部２０２は、表示部２０１に表示される操作用画像に対する操作を検出する。具体的には、操作検出部２０２は、表示部２０１を覆う透明なタッチパネルセンサを備えており、ユーザの操作を検出する。
【００４４】
このユーザの操作には、様々な種類がある。操作の種類の一例には、タップ操作と、ドラッグ操作と、ピンチ操作とがある。
【００４５】
なお、ここでは、ユーザが、指によってタッチパネルセンサに触れることにより操作する場合を一例にして説明したが、これに限られない。例えば、ユーザは、指に代えて、操作用の指示棒などを用いて操作してもよい。
【００４６】
タブレット通信部２０４は、無線通信又は有線通信によって、本体装置１０の本体通信部１０４と通信する。この一例では、タブレット通信部２０４と本体通信部１０４とが、無線通信によって通信する場合について説明する。この無線通信によって送受信される情報には、音声通話情報と、通信情報とが含まれる。
音声通話情報とは、音声通話に用いられる情報である。より具体的には、この音声通話情報とは、無線通信装置１と通信装置２との間における、無線通信回線を介した音声通話に用いられる情報である。
通信情報とは、無線通信回線を介したデータ通信に用いられる情報である。より具体的には、通信情報とは、無線通信装置１と通信装置２との間における、無線通信回線を介したデータ通信に用いられる情報である。すなわち、タブレット通信部２０４は、無線通信回線を介した音声通話に用いられる音声通話情報と、無線通信回線を介したデータ通信に用いられる通信情報とを、本体装置１０との間において送受信する。
【００４７】
なお、このタブレット通信部２０４は、音声通話情報と、通信情報とのうち、音声通話情報を本体通信部１０４との間において送受信する構成であってもよい。すなわち、本体通信部１０４と、タブレット通信部２０４とは、音声通話情報及び通信情報の少なくとも一方の情報を送受信する構成であってもよい。このように構成することにより、無線通信装置１は、本体装置１０が音声通話機能を提供し、タブレット装置２０がデータ通信機能を提供するように機能を振り分けることができる。また、無線通信装置１は、本体装置１０が音声通話機能を提供し、タブレット装置２０が音声通話機能と、データ通信機能とを提供するように機能を振り分けることもできる。すなわち、無線通信装置１は、本体装置１０と、タブレット装置２０とにおいて、相互に異なる機能を提供することができる。これにより、無線通信装置１によれば、タッチパネル操作に慣れているユーザに対してはタブレット装置２０によって機能を提供し、タッチパネル操作に慣れていないユーザに対しては本体装置１０によって機能を提供することができる。すなわち、無線通信装置１によれば、ユーザの特性にあわせた機能を提供することができる。
【００４８】
ここで、タッチパネル操作に慣れていないユーザに対して、電話の発信や着信の操作をタッチパネルによって行わせるようにした場合には、ユーザの使い勝手が低下する場合がある。一方、無線通信装置１によれば、ユーザの特性にあわせた機能を提供することができるため、使い勝手の低下を抑止しつつ、様々な機能を提供することができる。
【００４９】
なお、タブレット装置２０は、タブレット音検出部２０７と、タブレット音出力部２０８とを備えていてもよい。
タブレット音検出部２０７は、マイクを備えており、このマイクによって取得した音声情報をタブレット制御部２０３に供給する。また、タブレット音出力部２０８は、スピーカを備えており、タブレット制御部２０３から供給される情報に基づく音を、このスピーカから出力する。タブレット装置２０は、これらタブレット音検出部２０７と、タブレット音出力部２０８とを備えることにより、音声通話や音声検索などの機能を提供することができる。
【００５０】
［無線通信装置の動作の一例］
次に、図３から図５を参照して、無線通信装置１の動作の一例について説明する。
図３は、本実施形態の無線通信装置１による処理の流れの一例を示す流れ図である。無線通信装置１は、保持状態変化時処理、音声通話処理、及びデータ通信処理を繰り返し実行する。なお、無線通信装置１は、これらの処理以外の処理を実行してもよい。音声通話処理とは、無線基地局３を介して、他の通信装置２との間において音声通話を行う処理である。また、データ通信処理とは、無線基地局３を介して、他の通信装置２との間においてデータ通信を行う処理である。以下、保持状態変化時処理の具体例について説明する。なお、以下では、説明の便宜上、本体装置１０の保持部１０１によるタブレット装置２０の保持状態を、単に保持状態とも記載する。
【００５１】
［保持状態変化時処理］
保持状態変化時処理とは、保持状態の変化を無線通信装置１が検出した場合に、検出した結果に応じて、本体装置１０とタブレット装置２０のうちいずれか一方又は両方が所定の動作を実行する処理である。この結果に応じた所定の動作については、後述する。以下の説明において、保持状態のうち、本体装置１０にタブレット装置２０が装着されている状態を、装着状態とも記載する。また、保持状態のうち、本体装置１０にタブレット装置２０が装着されていない状態を、非装着状態とも記載する。
【００５２】
なお、本体装置１０とタブレット装置２０とのいずれか一方が、保持状態の変化を検出してもよい。以下では、この一例において、本体装置１０が保持状態の変化を検出する場合について説明する。また、以下では、保持状態の変化が検出された場合、検出した結果に応じた所定の動作を本体装置１０とタブレット装置２０との両方が実行する場合について説明する。
【００５３】
本体装置１０が保持状態の変化を検出した場合、本体装置１０は、タブレット装置２０に対して保持状態変化情報を送信する（ステップＳ１１）。また、本体装置１０は、検出した保持状態の変化に基づいて、保持状態変化時処理を実行する（ステップＳ１２）。また、タブレット装置２０は、本体装置１０から送信された保持状態変化情報に基づいて、保持状態変化時処理を実行する（ステップＳ２１）。ここで、ステップＳ１２とステップＳ２１における保持状態変化時処理の詳細について、図４を参照して説明する。
【００５４】
図４は、本実施形態の無線通信装置１による保持状態変化時処理の流れの一例を示す流れ図である。なお、図４においては、ステップＳ１２における保持状態変化時処理を、破線によって囲まれた処理群ＳＴ１２によって示す。また、図４においては、ステップＳ２１における保持状態変化時処理を、破線によって囲まれた処理群ＳＴ２１によって示す。
本体装置１０の保持状態変化検出部１０９は、保持状態の変化を検出するまで待機する（ステップＳ１１１０）。
【００５５】
ステップＳ１１１０において保持状態の変化が検出された場合（ステップＳ１１１０；Ｙｅｓ）、保持状態変化検出部１０９は、この検出の結果を示す保持状態変化情報を、本体制御部１０３に出力する。本体制御部１０３は、保持状態変化検出部１０９から取得した保持状態変化情報を、本体通信部１０４を介して、タブレット装置２０に送信し（ステップＳ１１２０）、処理をステップＳ１１３０に進める。また、タブレット制御部２０３は、本体制御部１０３から保持状態変化情報を取得し（ステップＳ２１１０）、処理を２１２０に進める。まず、ステップＳ１１３０以降の処理について説明する。
【００５６】
本体制御部１０３は、無線通信装置１の現在の動作状態を検出する（ステップＳ１１３０）。この無線通信装置１の動作状態には、無線通信装置１が、通信を行っていない非通信状態と、高速データ通信を行っている中のデータ通信状態と、着信中の状態と、通話中の状態とが含まれる。なお、無線通信装置１の動作状態には、これらの状態のうちの一部のみを含んでもよく、これらの状態とともに他の状態を含んでもよく、これらの状態を含まず他の状態を含んでもよい。以下、ステップＳ１１３０において検出された動作状態を、単に無線通信装置１の動作状態とも記載する。
【００５７】
次に、本体制御部１０３は、ステップＳ１１２０においてタブレット制御部２０３に送信した保持状態変化情報に基づいて、現在の保持状態が装着状態であるか否かを判定する（ステップＳ１１４０）。
本体制御部１０３は、保持状態が装着状態であると判定した場合（ステップＳ１１４０；Ｙｅｓ）、装着状態における所定の動作のうち、無線通信装置１の動作状態に応じた所定の動作を実行する（ステップＳ１１５０）。すなわち、本体制御部１０３は、保持状態が非装着状態から装着状態に変化した場合、この変化と、無線通信装置１の動作状態とに応じた所定の動作を実行する。
一方、本体制御部１０３は、現在の保持状態が非装着状態ではないと判定した場合（ステップＳ１１４０；Ｎｏ）、非装着状態における所定の動作のうち、無線通信装置１の動作状態に応じた所定の動作を実行する（ステップＳ１１６０）。すなわち、本体制御部１０３は、保持状態が装着状態から非装着状態に変化した場合、この変化と、現在の無線通信装置１の動作状態とに応じた所定の動作を実行する。
【００５８】
［本体装置１０が実行する所定の動作の具体例］
ここで、本体装置１０が実行する所定の動作の具体例について説明する。
【００５９】
［例１：本体音出力部１０８から出力される着信音の変更］
本体制御部１０３が実行する所定の動作の第１の例について説明する。この所定の動作の第１の例とは、本体音出力部１０８から出力される着信音の変更である。
具体的には、本体制御部１０３は、ステップＳ１１５０及びステップＳ１１６０において、下記のタブレット装置２０が実行する所定の動作の具体例の例１として説明するタブレット音出力部２０８から出力される着信音の変更と同様の処理を、本体音出力部１０８に対して行う。そのため、ここでは具体的な処理の内容についての説明を省略する。なお、以下では、本体音出力部１０８から出力する着信音を、本体着信音とも記載する。
【００６０】
例えば、本体制御部１０３は、本体着信音の変更により、装着モードでは本体音出力部１０８から着信音を出力（鳴動）させず、非装着モードでは本体音出力部１０８から着信音を出力させる。このようにすることで、本体制御部１０３は、本体装置１０にタブレット装置２０が装着されている状態で二重に着信音が出力されないようにすることができる。また、本体制御部１０３は、ユーザがタブレット装置２０とともに本体装置１０から離れた位置に居るような場合であっても、より確実に音声通話の着信をユーザに知らせることができる。
【００６１】
［例２：本体表示部に表示させる画像の変更］
本体制御部１０３が実行する所定の動作の第２の例について説明する。この所定の動作の第２の例とは、本体表示部に表示させる画像の変更である。この第２の例においては、本体装置１０は、画像を表示する本体表示部を備えている。
具体的には、本体制御部１０３は、ステップＳ１１５０及びステップＳ１１６０において、下記のタブレット装置２０が実行する所定の動作の具体例の例２として説明する表示部２０１に表示させる画像の変更と同様の処理を、表示部２０１に対して行う。そのため、ここでは具体的な処理の内容についての説明を省略する。
【００６２】
図４に戻り、ステップＳ２１２０以降の処理について説明する。タブレット制御部２０３は、現在の無線通信装置１の動作状態を検出する（ステップＳ２１２０）。次に、タブレット制御部２０３は、ステップＳ２１１０において本体制御部１０３から受信した保持状態変化情報に基づいて、現在の保持状態が装着状態であるか否かを判定する（ステップＳ２１３０）。
タブレット制御部２０３は、保持状態が装着状態であると判定した場合（ステップＳ２１３０；Ｙｅｓ）、装着状態における所定の動作のうち、無線通信装置１の動作状態に応じた所定の動作を実行する（ステップＳ２１４０）。すなわち、タブレット制御部２０３は、保持状態が非装着状態から装着状態に変化した場合、この変化と現在の無線通信装置１の動作状態に応じた所定の動作を実行する。
一方、タブレット制御部２０３は、保持状態が非装着状態ではないと判定した場合（ステップＳ２１３０；Ｎｏ）、非装着状態における所定の動作のうち、無線通信装置１の動作状態に応じた所定の動作を実行する（ステップＳ２１５０）。すなわち、タブレット制御部２０３は、保持状態が装着状態から非装着状態に変化した場合、この変化と現在の無線通信装置１の動作状態に応じた所定の動作を実行する。
【００６３】
［タブレット装置２０が実行する所定の動作の具体例］
ここで、タブレット装置２０が実行する所定の動作の具体例について説明する。
【００６４】
［例１：タブレット音出力部２０８から出力される着信音の変更］
タブレット制御部２０３が実行する所定の動作の第１の例について説明する。この所定の動作の第１の例とは、タブレット音出力部２０８から出力される着信音の変更である。
具体的には、ステップＳ２１４０において、タブレット制御部２０３は、装着状態における所定の動作のうち、無線通信装置１の動作状態に応じた所定の動作として、タブレット音出力部２０８から出力される着信音を変更する。以下では、説明の便宜上、タブレット音出力部２０８から出力する着信音を、単にタブレット着信音とも記載する。このタブレット着信音の変更には、タブレット着信音の種類の変更と、タブレット着信音の音量の変更とのうちいずれか一方又は両方が含まれる。
【００６５】
また、ステップＳ２１５０において、タブレット制御部２０３は、非装着状態における所定の動作のうち、無線通信装置１の動作状態に応じた所定の動作として、タブレット着信音を変更する。この本体着信音の変更には、本体着信音の種類の変更と、本体着信音の音量の変更とのうちいずれか一方又は両方が含まれる。
【００６６】
なお、ステップＳ２１４０とステップＳ２１５０におけるタブレット着信音の変更には、タブレット着信音のテンポ等の他の特性の変更が含まれてもよい。また、無線通信装置１の動作状態がステップＳ２１２０において検出した動作状態であり、且つ保持状態が非装着状態である場合におけるタブレット着信音の種類と、この場合におけるタブレット着信音の音量とは、ユーザによりタブレット制御部２０３に設定される構成であってもよく、予めタブレット制御部２０３に登録されている構成であってもよい。
【００６７】
また、このタブレット着信音の変更には、タブレット着信音の鳴動状態を、無線通信装置１の動作状態と、保持状態とに応じた鳴動状態に切り換えることが含まれてもよい。この場合、このタブレット着信音の鳴動状態は、ユーザによりタブレット制御部２０３に設定される構成であってもよく、予めタブレット制御部２０３に登録されている構成であってもよい。この一例において、タブレット着信音の鳴動状態には、タブレット音出力部２０８からタブレット着信音が出力されない状態（オフ）と、タブレット音出力部２０８からタブレット着信音が出力される状態（オン）とがある。
【００６８】
例えば、タブレット制御部２０３は、タブレット着信音の変更により、装着モードではタブレット音出力部２０８から着信音を出力（鳴動）させず、非装着モードではタブレット音出力部２０８から着信音を出力させる。このようにすることで、タブレット制御部２０３は、本体装置１０にタブレット装置２０が装着されている状態で二重に着信音が出力されないようにすることができる。また、タブレット制御部２０３は、ユーザがタブレット装置２０とともに本体装置１０から離れた位置に居るような場合であっても、より確実に音声通話の着信をユーザに知らせることができる。
【００６９】
［例２：表示部２０１に表示させる画像の変更］
タブレット制御部２０３が実行する所定の動作の第２の例について説明する。この所定の動作の第２の例とは、表示部２０１に表示させる画像の変更である。以下では、説明の便宜上、表示部２０１に表示される画像を、単にタブレット表示画像とも記載する。
【００７０】
具体的には、ステップＳ２１４０において、タブレット制御部２０３は、装着状態における所定の動作のうち、無線通信装置１の動作状態に応じた所定の動作として、タブレット表示画像を変更する。この際、タブレット制御部２０３は、無線通信装置１の動作状態に応じた画像を、複数の画像の中からタブレット表示画像として選択する。そして、タブレット制御部２０３は、選択したタブレット表示画像を表示部２０１に表示させる。
【００７１】
また、ステップＳ２１５０において、タブレット制御部２０３は、非装着状態における所定の動作のうち、無線通信装置１の動作状態に応じた所定の動作として、表示部２０１に表示させる画像を変更する。この際、タブレット制御部２０３は、無線通信装置１の動作状態に応じた画像を、複数の画像の中からタブレット表示画像として選択する。そして、タブレット制御部２０３は、選択したタブレット表示画像を表示部２０１に表示させる。
【００７２】
［タブレット装置２０に表示されるタブレット表示画像の例］
ここで、一例として、無線通信装置１の動作状態が非通信状態において、保持状態が変化した場合にタブレット制御部２０３が表示部２０１に表示させるタブレット表示画像について説明する。図５は、本実施形態の表示部２０１に表示される電話メニュー画像ＰＴｍ及びホーム画像ＰＨｍの具体例を示す模式図である。無線通信装置１の動作状態が非通信状態においてタブレット装置２０が本体装置１０に装着された場合、タブレット制御部２０３は、表示部２０１に電話メニュー画像ＰＴｍを表示する（図５（Ａ）を参照）。また、無線通信装置１の動作状態が非通信状態においてタブレット装置２０が本体装置１０から外された場合、タブレット制御部２０３は、表示部２０１にホーム画像ＰＨｍを表示する（図５（Ｂ）を参照）。
【００７３】
ここで、電話メニュー画像ＰＴｍの具体例について、図５（Ａ）を参照して説明する。電話メニュー画像ＰＴｍには、電話メニュータイトル画像Ｐ１０と、日付時刻画像Ｐ１１と、電話アイコンＰ１２と、ＦＡＸアイコンＰ１３とが含まれる。
電話メニュータイトル画像Ｐ１０とは、表示部２０１が表示する画像が、電話メニュー画像ＰＴｍであることを示す画像である。日付時刻画像Ｐ１１とは、現在の日付及び時刻を示す画像である。
電話アイコンＰ１２とは、電話サブメニュー画像（不図示）を表示するためのアイコンである。ＦＡＸアイコンＰ１３とは、ＦＡＸサブメニュー画像（不図示）を表示するためのアイコンである。
【００７４】
また、電話メニュー画像ＰＴｍには、戻るアイコンＰ１７と、ホームアイコンＰ１８と、ヘルプアイコンＰ１９とが含まれる。
戻るアイコンＰ１７とは、表示部２０１が表示する画像を、過去に表示された画像（例えば、１枚前の画像）に戻して表示させるためのアイコンである。ホームアイコンＰ１８とは、表示部２０１が表示する画像を、ホーム画像（例えば、電話メニュー画像ＰＴｍ）に戻して表示させるためのアイコンである。
ヘルプアイコンＰ１９とは、無線通信装置１の操作方法をユーザに示すヘルプ画像を表示するためのアイコンである。
【００７５】
また、無線通信装置１が各種機能についての設定変更機能を備えている場合がある。この場合には、電話メニュー画像ＰＴｍには、設定アイコンＰ１６が含まれる。設定アイコンＰ１６とは、設定サブメニュー画像（不図示）を表示するためのアイコンである。
なお、図５（Ｂ）のホーム画像ＰＨｍの具体例については、図１を参照して既に説明しているため、ここでの説明は省略する。
【００７６】
この図５に示すように、無線通信装置１は、保持状態が装着状態から非装着状態に変化した場合と、保持状態が非装着状態から装着状態に変化した場合に、表示部２０１に表示するタブレット表示画像を切り換える。これにより、無線通信装置１は、例えば、保持状態が装着状態と非装着状態とのそれぞれの場合においてユーザが優先的に使いたい機能を実行する画面に切り換えることができる。その結果、無線通信装置１は、ユーザの利便性を向上させることができる。
【００７７】
［例３：保持状態を変化させた場合に実行される音声通話の開始又は終話］
タブレット制御部２０３が実行する所定の動作の第３の例について説明する。この所定の動作の第３の例とは、音声通話の開始又は終話である。なお、以下では、一例として、無線通信装置１の動作状態が通話中又は着信中の状態である場合について説明する。
【００７８】
具体的には、ステップＳ２１４０において、タブレット制御部２０３は、無線通信装置１の動作状態が通話中の状態において保持状態が非装着状態から装着状態に変化した場合、音声通話を終話する。
また、ステップＳ２１５０において、タブレット制御部２０３は、無線通信装置１の動作状態が通話中の状態において保持状態が装着状態から非装着状態に変化した場合、非装着状態のタブレット表示画像のうち、無線通信装置１の動作状態が通話中の状態に応じたタブレット表示画像を表示部２０１に表示させる。
【００７９】
一方、ステップＳ２１４０において、タブレット制御部２０３は、無線通信装置１の動作状態が着信中の状態において保持状態が非装着状態から装着状態に変化した場合、装着状態のタブレット表示画像のうち、無線通信装置１の動作状態が着信中の状態に応じたタブレット表示画像を表示部２０１に表示させる。このタブレット表示画像は、例えば、音声通話時に実行可能な機能の操作画像を含む画像である。
また、ステップＳ２１５０において、タブレット制御部２０３は、無線通信装置１の動作状態が着信中の状態において保持状態が装着状態から非装着状態に変化した場合、音声通話を開始する。
【００８０】
このように、無線通信装置１の動作状態が通話中又は着信中の状態において、保持状態を変更することにより、無線通信装置１のユーザは、音声通話を開始又は終話させることができる。
【００８１】
以上説明したように、本実施形態における無線通信装置１では、タブレット制御部２０３が取得した保持状態変化情報に基づいて、タブレット装置２０の動作を変更する。これにより、無線通信装置１は、固定電話の使い勝手を踏襲しつつ、タブレット装置２０の脱着状態に応じて適した動作をタブレット装置２０に行わせることができる。例えば、保持状態が非装着状態から装着状態に変化した場合、ユーザは、タブレット装置２０による音声通話や高速データ通信のための利用を終了させる可能性が高い。また、保持状態が装着状態から非装着状態に変化した場合、ユーザは、タブレット装置２０による音声通話や高速データ通信のための利用を開始させる可能性が高い。このような理由から、無線通信装置１は、本体装置１０にタブレット装置２０が保持されていない状態から保持された状態に変化したことと、本体装置１０にタブレット装置２０が保持された状態から保持されていない状態に変化したこととのいずれかに基づいて、タブレット装置２０の動作を変更する。その結果、無線通信装置１は、装着状態における本体装置１０の動作と、非装着状態における本体装置１０の動作を変えることができる。
【００８２】
また、無線通信装置１は、タブレット制御部２０３が検出した自装置の動作状態と、タブレット制御部２０３が取得した保持状態変化情報とに基づいて、タブレット装置２０に所定の動作を行わせる。これにより、無線通信装置１は、現在の動作状態及び現在の保持状態におけるタブレット装置２０の動作を変えることができる。例えば、無線通信装置１は、通話中や着信中に保持状態を変化させることにより、それぞれに対応した所定の動作を行わせることができる。その結果、無線通信装置１は、ユーザに直感的な操作性を提供することができる。なお、直感的とは、この一例において、無線通信装置１の外観に基づいて予測可能であることを示す。
【００８３】
また、無線通信装置１は、タブレット制御部２０３が、表示部２０１に表示させるタブレット表示画像を保持状態変化情報に応じて変更する。これにより、無線通信装置１は、例えば、表示部２０１に表示させるタブレット表示画像を、装着状態においてユーザが優先的に使いたい機能を実行する画像と、非装着状態においてユーザが優先的に使いたい機能を実行する画像とに切り換えることができる。その結果、無線通信装置１は、ユーザの利便性を向上させることができる。
【００８４】
また、無線通信装置１は、タブレット制御部２０３が、自装置を利用する音声通話の通話中に保持状態変化情報を取得した場合、当該保持状態変化情報に応じて音声通話の開始又は終話を制御する。これにより、無線通信装置１は、無線通信装置１の動作状態が着信中の状態の場合、本体装置１０からタブレット装置２０を外すことにより音声通話を開始させることができ、無線通信装置１の動作状態が通話中の状態の場合、本体装置１０にタブレット装置２０を装着させることにより音声通話を終話させることができる。その結果、無線通信装置１は、ユーザに音声通話の開始又は終話を行わせる複数の方法を提供することができる。
【００８５】
また、無線通信装置１は、タブレット制御部２０３が、自装置を利用する音声通話の着信中に、自装置が本体装置１０に保持された状態から保持されていない状態に変化したことを示す保持状態変化情報を取得した場合、表示部２０１に表示させるタブレット表示画像を、音声通話時に実行可能な機能の操作用画像を含む画像に変更する。これにより、無線通信装置１は、無線通信装置１の動作状態が通話中の状態において、本体装置１０からタブレット装置２０を外すことにより、表示部２０１に表示されたタブレット表示画像を、通話中においてユーザが優先的に使いたい機能に切り換えることができる。
【００８６】
また、無線通信装置１は、タブレット制御部２０３が、タブレット着信音を保持状態変化情報に応じて変更する。これにより、無線通信装置１は、装着状態におけるタブレット着信音と、非装着状態におけるタブレット着信音とを変えることができる。
【００８７】
また、無線通信装置１は、タブレット制御部２０３が、タブレット着信音の鳴動状態をオンとオフのうちのいずれかに保持状態変化情報に応じて切り換える。例えば、タブレット制御部２０３は、タブレット着信音の変更により、装着モードではタブレット音出力部２０８から着信音を出力（鳴動）させず、非装着モードではタブレット音出力部２０８から着信音を出力させる。これにより、無線通信装置１は、本体装置１０にタブレット装置２０が装着されている状態で二重に着信音が出力されないようにすることができる。また、無線通信装置１は、ユーザがタブレット装置２０とともに本体装置１０から離れた位置に居るような場合であっても、より確実に音声通話の着信をユーザに知らせることができる。
【００８８】
また、無線通信装置１は、タブレット制御部２０３が、タブレット着信音の種類を保持状態変化情報に応じて変更する。これにより、無線通信装置１は、例えば、装着状態におけるタブレット着信音の音色やメロディーと、非装着状態におけるタブレット着信音の音色やメロディーとを変えることができる。その結果、例えば、無線通信装置１は、本体着信音の音色やメロディーに対してタブレット着信音の音色やメロディーを相対的に変えることによって、タブレット装置２０が装着状態か否かをユーザに知らせることができる。そして、無線通信装置１は、タブレット装置２０が非装着状態の場合且つユーザがタブレット装置２０を見失っている場合、タブレット装置２０の位置を本体着信音とタブレット着信音の違いによってユーザに知らせることができる。
【００８９】
また、無線通信装置１は、本体制御部１０３が取得した保持状態変化情報に基づいて、自装置の動作を変更する。これにより、無線通信装置１は、装着状態における本体装置１０の動作と、非装着状態における本体装置１０の動作を変えることができる。
【００９０】
また、無線通信装置１は、本体制御部１０３が検出した自装置の動作状態と、本体制御部１０３が取得した保持状態変化情報とに基づいて、自装置に所定の動作を行わせる。これにより、無線通信装置１は、現在の動作状態及び現在の保持状態における本体装置１０の動作を変えることができる。例えば、無線通信装置１は、通話中や着信中に保持状態を変化させることにより、それぞれに対応した所定の動作を行わせることができる。その結果、無線通信装置１は、ユーザに直感的な操作性を提供することができる。
【００９１】
また、無線通信装置１は、本体表示部に表示させる画像を保持状態変化情報に応じて変更する。これにより、無線通信装置１は、例えば、本体表示部に表示させる画像を、装着状態においてユーザが優先的に使いたい機能を実行する画像と、非装着状態においてユーザが優先的に使いたい機能を実行する画像とに切り換えることができる。その結果、無線通信装置１は、ユーザの利便性を向上させることができる。
【００９２】
また、無線通信装置１は、本体音出力部１０８から出力する着信音を保持状態変化情報に応じて変更する。これにより、無線通信装置１は、装着状態における本体装置１０の着信音と、非装着状態における本体装置１０の着信音とを変えることができる。
【００９３】
また、無線通信装置１は、本体着信音の鳴動状態をオンとオフのうちのいずれかに保持状態変化情報に応じて切り換える。例えば、本体制御部１０３は、本体着信音の変更により、装着モードでは本体音出力部１０８から着信音を出力（鳴動）させず、非装着モードでは本体音出力部１０８から着信音を出力させる。これにより、無線通信装置１は、本体装置１０にタブレット装置２０が装着されている状態で二重に着信音が出力されないようにすることができる。また、無線通信装置１は、ユーザがタブレット装置２０とともに本体装置１０から離れた位置に居るような場合であっても、より確実に音声通話の着信をユーザに知らせることができる。
【００９４】
また、無線通信装置１は、本体着信音の種類を保持状態変化情報に応じて変更する。これにより、無線通信装置１は、例えば、装着状態における本体着信音の音色やメロディーと、非装着状態における本体着信音の音色やメロディーとを変えることができる。その結果、例えば、無線通信装置１は、タブレット着信音の音色やメロディーに対して本体着信音の音色やメロディーを相対的に変えることによって、タブレット装置２０が装着状態か否かをユーザに知らせることができる。そして、無線通信装置１は、タブレット装置２０が非装着状態の場合且つユーザがタブレット装置２０を見失っている場合、タブレット装置２０の位置を本体着信音とタブレット着信音の違いによってユーザに知らせることができる。
【００９５】
ここで、無線基地局３と通信を行う無線通信モジュール２０５が、本体装置１０ではなく、タブレット装置２０に備えられている場合について説明する。この場合、本体装置１０が音声通話中に、タブレット装置２０が移動されて通信可能距離を超えると、本体装置１０の音声通話が途絶する場合がある。したがって、無線通信装置１は、タブレット装置２０を使用するユーザに対して、タブレット装置２０と本体装置１０とが通信中であることを通知することが望ましい。
【００９６】
本実施形態の無線通信装置１は、タブレット装置２０と本体装置１０とが通信中である場合に、タブレット装置２０と本体装置１０とが通信中であることを通知する画像を、表示部２０１に表示する。これにより、無線通信装置１は、タブレット装置２０を使用するユーザに対して、タブレット装置２０と本体装置１０とが通信中であることを通知する。具体的には、上述したように、本体装置１０が音声通話中である場合、すなわち、タブレット装置２０と本体装置１０とが通信中である場合に、表示部２０１に通話中画像ＰＣｌを表示する。
また、 無線通信装置１は、タブレット装置２０と本体装置１０との間の通信が開始されたことを通知する画像、及びタブレット装置２０と本体装置１０との間の通信が終了されたことを通知する画像を、表示部２０１に表示してもよい。
【００９７】
このように構成することにより、無線通信装置１は、本体装置１０の使い勝手の低下を抑止しつつ、タブレット装置２０によって様々な機能を提供することができる。
【００９８】
なお、上述の説明において、本体通信部１０４とタブレット通信部２０４との間が無線通信によって接続されている場合について説明したが、これに限られない。本体通信部１０４とタブレット通信部２０４との間が有線通信によって接続される構成であってもよい。また、この構成の場合、本体装置１０と、タブレット装置２０とがいずれも通信用の電気接点を備えており、タブレット装置２０が本体装置１０の保持部１０１に保持されている場合にのみ、この電気接点どうしが接触するように構成されていてもよい。このように構成することにより、無線通信装置１は、タブレット装置２０が本体装置１０に装着されている場合には、有線通信によって通信する。また、無線通信装置１は、タブレット装置２０が本体装置１０に装着されていない場合には、無線通信によって通信する。すなわち、このように構成することにより、無線通信装置１は、タブレット装置２０が本体装置１０に装着されているか否かによって、無線通信と有線通信とを切り換えることができる。ここで、有線通信は、無線通信に比べて高い速度によって通信可能である場合がある。上述した構成にすることにより、無線通信装置１は、タブレット装置２０が本体装置１０に装着されているか否かにより、本体装置１０とタブレット装置２０との間の通信速度を切り換えることができる。
【００９９】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更を行うことができる。これら実施形態及びその変形は、発明の範囲や要旨に含まれると同時に、特許請求の範囲に記載された発明とその均等の範囲に含まれるものである。
【０１００】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【０１０１】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【０１０２】
１…無線通信装置、１０…本体装置、１０１…保持部、１０３…本体制御部、１０４…本体通信部、１１０…受話器、２０…タブレット装置、２０１…表示部、２０２…操作検出部、２０３…タブレット制御部、２０４…タブレット通信部、２０５…無線通信モジュール
【図１】
2016178511.tif 000003
【図２】
2016178511.tif 000004
【図３】
2016178511.tif 000005
【図４】
2016178511.tif 000006
【図５】
2016178511.tif 000007